(57)【要約】本発明は、受像管のスクリーンに発生する画像の水平方向ひずみの補正に関する。詳細には、受像管水平走査システムの水平増幅器（１４）への駆動信号のＡＣ成分を動的に制御する電子回路に関する。本発明は、受像管のビーム電流に関係する信号を受け取る入力（４４、６６）と、増幅器（１４）の入力に接続する出力と、容量性手段（３２、６４）と、上記回路入力（４４、６６）の信号に応答して上記容量性手段を制御する能動制御デバイス（３０、６０）とを備える電子回路を提供する。
2004505556.tif 000002
【特許請求の範囲】
【請求項１】
受像管水平走査システムの水平増幅器への駆動信号のＡＣ成分を制御する電子回路であって、前記回路は、受像管のビーム電流に関係する信号を受け取る入力と、前記増幅器の入力に接続する出力と、容量性手段と、前記回路入力における信号に応答して前記容量性手段を制御する能動制御デバイスとを備えていることを特徴とする電子回路。
【請求項２】
前記容量性手段は、前記能動制御デバイスに直列に接続されていることを特徴とする請求項１に記載の電子回路。
【請求項３】
前記能動制御デバイスは、バイポーラ・トランジスタであることを特徴とする請求項１又は２に記載の電子回路。
【請求項４】
前記能動制御デバイスは、ＮＰＮトランジスタであることを特徴とする請求項３に記載の電子回路。
【請求項５】
前記トランジスタは、前記容量性手段とグラウンドとの間に接続されていることを特徴とする請求項４に記載の電子回路。
【請求項６】
極性反転手段が、前記回路入力と前記トランジスタとの間に接続されていることを特徴とする請求項４又は５に記載の電子回路。
【請求項７】
前記能動制御デバイスは、ＰＮＰトランジスタであることを特徴とする請求項３に記載の電子回路。
【請求項８】
前記トランジスタは、前記容量性手段と低インピーダンス電源との間に接続されていることを特徴とする請求項７に記載の電子回路。
【請求項９】
前記回路の動作特性を制御する手段が、その入力と前記能動制御デバイスとの間に設けられていることを特徴とする請求項１乃至８のいずれかに記載の電子回路。
【請求項１０】
前記走査システムにより発生するラスタの垂直対称性を改善するための波形を受け取る第２入力を備えていることを特徴とする請求項１乃至９のいずれかに記載の電子回路。
【請求項１１】
前記波形は、実質的にのこぎり波形であることを特徴とする請求項１０に記載の電子回路。
【請求項１２】
請求項１乃至１１のいずれかに記載の回路を備えていることを特徴とする集積回路。
【請求項１３】
請求項１乃至１２のいずれかに記載の回路を備えていることを特徴とするテレビジョン受像機又はモニタ。
【請求項１４】
請求項１乃至１１のいずれかに記載の回路を使用して、受像管水平走査システムの水平増幅器への駆動信号のＡＣ成分を制御することを特徴とする方法。
【請求項１５】
前記走査システムにより発生するラスタの垂直対称性を改善するために前記第２入力に波形を印加するステップを含むことを特徴とする請求項１０に従属する請求項１４に記載の方法。
【請求項１６】
前記波形は、実質的にのこぎり波形であることを特徴とする請求項１５に記載の方法。
【発明の詳細な説明】
【０００１】
【発明の属する技術分野】
本発明は、受像管のスクリーンに発生する画像の水平方向ひずみ（Ｅａｓｔ−Ｗｅｓｔ ｄｉｓｔｏｒｔｉｏｎ）の補正に関する。詳細には、受像管水平走査システムの水平増幅器への駆動信号のＡＣ成分を制御する電子回路に関する。
【０００２】
【従来の技術】
提案される回路は、テレビジョン又はモニタの受像管の水平走査機能に対し、既存の水平ひずみ補正システムを改良することを目的とする。既知の回路は、水平出力段により発生する二次側波形及び供給に大きい影響を与えずに、水平増幅器からの電圧駆動に応じて受像管の偏向コイルの走査電流を変化させるダイオード変調器を備える。
【０００３】
水平増幅器の出力は、ライン走査幅を決定するＤＣ成分と、ラスタの外側垂直エッジの固有の糸巻き形（ｐｉｎｃｕｓｈｉｏｎ）ひずみを補正するＡＣ（放物線状）成分とを有する。
【０００４】
個別構成要素（ｄｉｓｃｒｅｔｅ ｃｏｍｐｏｎｅｎｔｓ）を使用する回路は水平増幅器に必要な駆動波形を発生できるが、一般的には、特定化された幾何形状補正集積回路（ＩＣ）を使用する。このようなＩＣは、大部分の受像機に必要なものであり、メモリ・レジスタを使用してＩＣ内に精密許容限度内でプリセットされる必要がある。駆動波形のＤＣ及びＡＣ成分は各表示フォーマット（アスペクト・レシオ選択）に対し設定され、格納される。しかし、現在では、非常に大きい幾何形状補正の必要がある受像機の種類があり、それらは既存又は現在提案されている幾何形状制御ＩＣでは適合させることができない。
【０００５】
【発明が解決しようとする課題】
この問題は、「動的水平補正（Ｄｙｎａｍｉｃ Ｅａｓｔ−Ｗｅｓｔ ｃｏｒｒｅｃｔｉｏｎ）」と呼ばれ、ビーム電流の関数としての特別高圧（ＥＨＴ）電位の変動から発生するラスタの形状及びサイズの変化により生じる。ビーム電流は、スクリーン上の画像内容に応じて著しく変動する。
【０００６】
既存のＩＣ内では、この補正は、ビーム電流検出回路から得られる信号電圧に応じて水平駆動に適用される。この電圧はＥＨＴ電位の変化を表わし、その電圧から必要な補正を計算することができる。この補正により、画像内容の変化の間に、表示が「寸法変化（ｂｒｅａｔｈｅ）」しないことが保証される。現在のＩＣでは、この補正はＤＣ（幅）成分の正確な補正を提供するが、ＡＣ成分は動的に補正されない。
【０００７】
本発明の目的は、通常のＥＨＴ変動に応じて水平増幅器の駆動信号のＡＣ成分の自動動的補正を提供することである。
【０００８】
【課題を解決するための手段】
本発明によれば、受像管水平走査システムの水平増幅器への駆動信号のＡＣ成分を制御する電子回路を提供する。上記回路は受像管のビーム電流に関連する信号を受け取る入力と、増幅器の入力に接続する出力と、容量性手段と、回路入力の信号に応じて容量性手段を制御する能動制御デバイスとを備える。
【０００９】
本発明の回路により、ビーム電流情報に正確に応答するＡＣ成分補正の連続的変化を達成でき、全レベルにおいて満足なラスタ形状を生成すると同時に、コスト上昇を最低限に抑制する。
【００１０】
これは、水平増幅器の入力ポートに大きいキャパシタを使用することにより実現できる。半導体「抵抗」のような能動制御デバイスはビーム電流情報で駆動され、キャパシタの効果を制御する。好ましくは、キャパシタは能動制御デバイスに直列に接続される。
【００１１】
提案される回路を最初にシステムのセットアップに適用して、最高ＥＨＴでラスタを完全にする（即ち、クロスハッチ・テスト・パターンを有する低ビーム電流条件）。この場合、ＥＨＴ電圧が低下すると同時に、放物線補正を減少させて、発生する樽形ひずみを打ち消す必要があり、上記回路がこの機能を満たすことを目的とする。
【００１２】
好ましくは、能動制御デバイスはバイポーラ・トランジスタである。上記デバイスは、容量性手段とグラウンドとの間に接続されたＮＰＮトランジスタで形成することができる。特に、必要な制御特性を得る方法は、ＮＰＮトランジスタを使用して、そのエミッタをグラウンドに接続し、そのコレクタをキャパシタに接続することにより達成することができる。この従来と異なる方法では、入力ベース電流は、コレクタにおいて効果的に抵抗を制御する。ＮＰＮトランジスタの制御信号の感度は、ビーム電流信号の感度の逆極性であり、この場合、極性反転手段が回路入力とトランジスタとの間に接続される。これは、高インピーダンス・インタフェースを形成するように構成できる単一増幅段によって実現するのに適し、さらに回路の動作レンジを特定の受像管に対する動作電流レンジ全体に必要な制御特性に合わせるように設定することにより実現できる。
【００１３】
代替方法においては、ＰＮＰトランジスタ又はＦＥＴを能動制御デバイスとして使用することができる。ＰＮＰベースの構成では、トランジスタを容量性手段と低インピーダンス電源との間に接続するとよい。好ましい配置では、トランジスタのコレクタは容量性手段に接続され、そのエミッタは電源に接続される。
【００１４】
前述の配置以外の、能動制御デバイス及び容量性手段の他の配置も使用可能である。例えば、ＮＰＮトランジスタでは、容量性手段を、そのエミッタとグラウンドとに接続されたコレクタを持つ水平増幅器との間に接続するか、又は、そのエミッタを、容量性手段と増幅器とに接続されたそのコレクタを経由してグラウンドに接続するとよい。後者の場合、トランジスタのエミッタとベースとの間に抵抗を接続して、トランジスタの電流利得に起因する不安定性を抑制するのが適当である。同様にＰＮＰトランジスタでは、代替方法として、例えば、そのコレクタをグラウンドに接続した状態で、容量性手段をトランジスタのエミッタと低インピーダンス電源との間に接続してもよい。
【００１５】
好ましくは、回路の動作特性を制御する手段は、ＮＰＮベースの実施形態に関連する前述の増幅段のように、その入力と能動制御デバイスとの間に設けられる。
【００１６】
状況によっては、回路の効果は、受像管に表示される画像の上下のコーナーにおいて対称的でない。これは直列のキャパシタと抵抗との組合せの固有特性である。この問題は、トランジスタのベース入力の制御信号にのこぎり波形を適用することにより解決できる。したがって、回路は、その回路に印加される、制御の対称性を改善する波形を受け取る第２入力を備える。これは、トランジスタがオフのときの低電流状態に影響を与えず、また他の時間における有利な効果を有する。ＮＰＮトランジスタ・ベース（ｂａｓｅｄ）の構成では、好ましくは波形は負方向領域のこぎり波形である、一方、ＰＮＰトランジスタを回路の能動制御デバイスとして使用する場合には、好ましくは波形は正方向のこぎり波形である。
【００１７】
【発明の実施の形態】
次に、既知の偏向コイル駆動システムと本発明の実施形態とを、添付図面による例を用いて説明する。
【００１８】
図１は、受像管の水平偏向コイルを駆動する既知システムの基本形態の概略図である。幾何形状制御ＩＣ２は、ライン４により水平走査駆動信号を水平走査発生器６に供給する。上記発生器は、水平偏向コイル１０に接続されたライン８に水平走査電流を出力する。
【００１９】
また、ＩＣ２は、ラスタ補正信号を発生し、その信号はライン１２を介して水平駆動増幅器１４に供給される。さらに、水平駆動増幅器は、ライン１６に駆動電圧を出力し、ライン１６は、水平走査発生器６内のダイオード変調器１８に入力される。ダイオード変調器は、ライン１６の駆動電圧に応じて発生器から出力される水平走査電流を調節する。
【００２０】
前述のように、ＩＣ２から供給される補正信号は、増幅器出力のＤＣ成分を動的に補正するが、ＡＣ成分は補正しない。これにより、ビーム電流が大きいとき、表示画像の外側垂直エッジの樽形・糸巻き形ひずみが発生する。
【００２１】
図２及び３には、この問題に対処する本発明を実現する回路を示す。図２の回路は、能動デバイスとしてＮＰＮトランジスタを使用して実現される、一方、図３の回路はＰＮＰトランジスタを使用している。
【００２２】
最初に、図２の回路について考察する。この回路は、エミッタをグラウンドに接続し、またコレクタを大容量キャパシタ３２に接続した制御ＮＰＮトランジスタ３０を含む。正しく極性選択した１００μＦキャパシタがこの目的に適合する。キャパシタの他方の回路出力は、水平増幅器に入力される。回路の効果が表示画像の上下角部において対称でない場合、これは入力３４に適正な負方向のこぎり波形を供給して実質的に補正できる。このようなのこぎり波形は、特定の回路用途においてそのまま利用できる。他方で、上記波形は既知の技術を使用して簡単に得ることもできる。
【００２３】
実際には、ビーム電流偏向回路から得られる信号電圧は、回路入力４４に供給される。ビーム電流は、通常、テレビジョン受像機のライン出力段で検出され、電圧信号に変換されてＩＣ２に達する。ＮＰＮトランジスタ３０の制御信号の向きが偏向回路から供給される信号の逆極性であるため、高インピーダンス・インタフェース回路がＰＮＰトランジスタ３６を使用して設けられている。これは、典型的には、ポイント３８に接続された１２Ｖ　ＤＣ電源から電源供給される。ＰＮＰトランジスタ段は極性反転を実現し、また、回路の動作レンジを変更して受像管の動作電流のレンジ全体に必要な制御特性に合わせる。抵抗４０及び４２から形成される高抵抗ネットワークは、割込みポイント、動作スロープ、及び、ＰＮＰ段を意図的に飽和させて所望の特性を実現するための制御上限を決定する。抵抗４２は、トランジスタ３６のベースとコレクタとの間に接続され、一方、抵抗４０は、トランジスタのベースと入力４４との間に接続される。図２の回路により表わされる高入力抵抗によって、ＩＣ２により提供される幾何形状補正とビーム電流制限の既存の機能とヘの影響を無視することができる。抵抗４６及び５４は、トランジスタ３６のエミッタにおける電圧オフセットを与える。抵抗５４は、ポイント３８のＤＣ電源とトランジスタのエミッタとの間に接続され、一方、抵抗５４は、エミッタとグラウンド電位との間に接続される。
【００２４】
図２の各抵抗の典型的な値は以下の通りである。
４０　　１．５ＭΩ
４２　　２２０ｋΩ
４６　　４７０ｋΩ
４８　　１５０ｋΩ
５０　　１００ｋΩ
５２　　８．２ｋΩ
５４　　　２４ｋΩ
これらの値を変更して回路の与えられた用途における特定要件に適合させることができることは理解されるであろう。
【００２５】
図３には、能動制御デバイスとしてＰＮＰトランジスタ６０を含む、本発明を実現する回路例を示す。トランジスタのエミッタは、電圧レール６２を介して低インピーダンス電源（一般に１２Ｖ　ＤＣ）に接続される。そのコレクタはキャパシタ６４の一端に接続され、キャパシタの他端は、実際には水平増幅器に接続される。図２の実施形態と同様に、正しく極性選択された１００μＦキャパシタが適する。入力６６は、ビーム電流検出回路から信号電圧を受け取るために設けられている。この入力は、抵抗６８とツェナー・ダイオード７０（例えば５Ｖ定格を有する）とを介してトランジスタ６０のベースに供給される。ツェナー・ダイオードは、回路のしきい値制御を提供し、抵抗６８と組み合わせられて、必要に応じて回路動作特性を制御するように選択される。抵抗７２は、トランジスタのベースと電圧レール６２との間に設けられる。図２の回路と同様に、表示画像の上下角部の非対称性は、トランジスタ７４を介してトランジスタのベースにのこぎり波形、この場合正方向波形、を印加して対処することができる。
【００２６】
図３の各抵抗の典型的な値は、以下の通りである。
６８　　１５０ｋΩ
７２　　８．２ｋΩ
７４　　１００ｋΩ
図２及び３の回路は、実際には、補正を受ける水平増幅器１４の入力ポートに接続される。高利得増幅器と共に、このポイントは最低電圧振幅（仮想アース）のポイントであり、これにより能動制御トランジスタの抵抗性特性が、幾何形状制御ＩＣ２又は他のソースからの信号電流の範囲全体にわたって能動的であることを保証する。
【００２７】
本発明の開示の理解により、当業者には他の変形形態及び変更は明らかであろう。そのような変形形態及び変更には、設計、製造及び水平補正システムの使用における均等物及び既知の他の形態、並びに、本明細書の前述の形態に使用されるか又はそれに追加して使用できる均等物及び既知の他の形態を含む。
【００２８】
本明細書では、特許請求の範囲は各形態の特定の組合せで記述されているが、本発明の開示の範囲は、本明細書に開示されているすべての新規形態又はすべての新規形態の組合せをも含み、それらの明示的若しくは黙示的又はすべての総合化のどちらも含み、さらにそれがすべての特許請求の範囲においてここで主張されているのと同一発明に関連するか否かを問わず、又は、それが本発明と同一の技術問題のどれか又はすべてを軽減するか否かを問わない。
【００２９】
ここでは本出願人は、本出願又はそれから導かれるすべての他の出願の実行における新規な特許請求の範囲を、任意のそのような形態及び／又はそのような形態の組合せについて形成できることを明記しておく。
【図面の簡単な説明】
【図１】受像管の水平偏向コイルを駆動する既知のシステムのブロック図を示す。
【図２】本発明の一実施形態による、水平増幅器の駆動信号のＡＣ成分を制御する電子回路を示す。
【図３】図２の電子回路に対する、本発明の代替の実施形態を示す。
【国際公開パンフレット】
2004505556.tif 000003
2004505556.tif 000004
2004505556.tif 000005
2004505556.tif 000006
2004505556.tif 000007
2004505556.tif 000008
2004505556.tif 000009
2004505556.tif 000010
2004505556.tif 000011
2004505556.tif 000012
2004505556.tif 000013
2004505556.tif 000014
【国際調査報告】
2004505556.tif 000015
2004505556.tif 000016